(57)【特許請求の範囲】
【請求項１】
容器本体にねじ止めにより固定されるキャップと、前記キャップの前記容器本体への固定に際して前記容器本体に固定されるシリンダと、前記シリンダ内に上下方向に移動可能に延在させた中空のステムと、前記ステム内側に挿入可能となるように前記シリンダ内に収容した棒状の弁体と、前記ステムに嵌合させた、前記シリンダ内面を前記ステムの移動に伴って摺動するピストンと、前記ステム上端と嵌合したノズル付頭部と、前記ノズル付頭部を前記ステムおよびピストンと共に上下動させてポンプ動作を行うためのばねとを具える吐出容器において、
前記シリンダと前記棒状の弁体との間に、前記棒状の弁体を前記シリンダ内に導入する際に前記弁体を案内し、かつ位置決めを行う略中空円筒形のストッパ部材を設け、
該ストッパ部材は、その内面に弁体の下部に設けられたガイド板の段差と共同して仮セット状態を維持するアンダーカットと、リングにより構成され弁体を挿通させる中空の孔と、この孔の周囲で容器の内容物を流通させる複数の流路とを有する、ことを特徴とする吐出容器。
【請求項２】
前記ストッパ部材の外周面に、その周方向に少なくとも２本のリブを設けたことを特徴とする、請求項１記載の吐出容器。
【請求項３】
前記ストッパ部材は、その高さにより前記ノズル付頭部のストローク量を規定し、それによって前記容器本体内の内容物の吐出量を一定としたことを特徴とする、請求項１記載の吐出容器。
【発明の詳細な説明】
【０００１】
【発明の属する技術分野】
本発明は、シャンプー、乳液などの液状物を吐出させるために用いる吐出容器に関するものである。
【０００２】
【従来の技術】
図１はかかる吐出容器の一例を示すものである。図示の容器１は、容器本体２の口頭部３にねじ止めにより固定されるキャップ４と、このキャップ４に取り付けられて容器本体２内部に延在するシリンダ５と、このシリンダ５内に上下移動可能に延在する中空のステム６と、前記シリンダ５内に収容した弁体７と、前記ステム６と嵌合させたピストン８と、前記ステム６上端と嵌合した、ノズル９を有するノズル付頭部10と、前記ステム６と弁体７との間に介在させたばね11とを具える。
【０００３】
ステム６の下端部近傍には挟持部12が設けられ、弁体７の上端がこの挟持部12で挟持される。弁体７の下部にはガイド板13が設けられており、シリンダ５内に吸い込まれて流れる液状の内容物を案内する。また、シリンダ５下部には吸い込み管14が取り付けられている。
【０００４】
図２は、弁体７を示すものであり、図２(a)は上面、図２(b)は側面、図２(c)は底面をそれぞれ示すものである。図示の弁体７には、４枚のガイド板13が互いに90°の角度で配置されている。
【０００５】
ところで、かかる容器１を組み立てる場合、特にシリンダ５内に弁体７を収容する際に、シリンダ５内で弁体７の姿勢が安定せず、図３に示すように弁体７が直立しない場合がある。そのため、他の部品（例えばステム６やばね11）を組み付ける作業が困難となると共に、弁体７の姿勢や位置を修正するための作業が必要となる。それによって、組み立て作業に要する時間や作業工数が増加することともなる。
【０００６】
【発明が解決しようとする課題】
本発明は上記の問題点を解決し、組立時にシリンダ内で弁体の位置や姿勢を安定させ、組み立て作業を容易かつ効率的に行うことを実現できる吐出容器を提案するものである。
【０００７】
【課題を解決するための手段】
本発明による吐出容器は、容器本体にねじ止めにより固定されるキャップと、前記キャップの前記容器本体への固定に際して前記容器本体に固定されるシリンダと、前記シリンダ内に上下方向に移動可能に延在させた中空のステムと、前記ステム内側に挿入可能となるように前記シリンダ内に収容した棒状の弁体と、前記ステムに嵌合させた、前記シリンダ内面を前記ステムの移動に伴って摺動するピストンと、前記ステム上端と嵌合したノズル付頭部と、前記ノズル付頭部を前記ステムおよびピストンと共に上下動させてポンプ動作を行うためのばねとを具える吐出容器において、
前記シリンダと前記棒状の弁体との間に、前記棒状の弁体を前記シリンダ内に導入する際に前記弁体を案内し、かつ位置決めをを行う略中空円筒形のストッパ部材を設け、
該ストッパ部材は、その内面に弁体の下部に設けられたガイド板の段差と共同して仮セット状態を維持するアンダーカットと、リングにより構成され弁体を挿通させる中空の孔と、この孔の周囲で容器の内容物を流通させる複数の流路とを有する、ことを特徴とするものである。
【０００８】
本発明による吐出容器においては、シリンダ内に弁体を収容する際に、この弁体を案内し、かつ姿勢を安定させるためのストッパ部材を設けている。このストッパ部材を弁体に取り付けた仮セット状態でシリンダ内に導入することにより、弁体をシリンダ内で正確に位置決めすることができ、かつ姿勢を安定させることが可能となる。それゆえ、シリンダ内での弁体の位置や姿勢を修正する作業が必要なくなり、組み立て作業に要する工程や時間を削減することが可能となる。
【０００９】
本発明による吐出容器においては、前記ストッパ部材の外周面に、その周方向に少なくとも２本のリブを設けることもできる。これによって、シリンダ内にストッパ部材を導入する際の摩擦抵抗を低減することができる。
【００１０】
また本発明による吐出容器においては、前記ストッパ部材の高さにより前記ノズル付頭部のストローク量を規定し、それによって前記容器本体内の内容物の吐出量を一定とすることもできる。その結果、ストッパ部材を交換するだけで吐出量を変更することが可能になると共に、常に適量の内容物を吐出させることができるようになり、使用者の利便性を向上させることができる。
【００１１】
【発明の実施の形態】
以下、図面を参照して本発明の好適な実施形態について説明する。
【００１２】
図４は本発明による吐出容器の一実施形態を示すものである。図示の容器21は、容器本体22の口頭部23にねじ止めにより固定されるキャップ24と、このキャップ24に取り付けられて容器本体22内部に延在するシリンダ25と、このシリンダ25内に上下移動可能に延在する中空のステム26と、前記シリンダ25内に収容した弁体27と、前記ステム26と嵌合させたピストン28と、前記ステム26上端と嵌合した、ノズル29を有するノズル付頭部30と、前記ノズル付頭部30とキャップ24との間に介在させたばね31とを具える。
【００１３】
ここで、ステム26はノズル付頭部30と嵌合した第一の部材26Aと、その内面に嵌合させた第二の部材26Bからなり、ピストン28はこれら部材に挟まれて上下摺動可能に保持されている。またステム26の第二の部材26Bの下端部近傍には挟持部32が設けられ、弁体27の上端がこの挟持部32で挟持される。弁体27の下部にはガイド板33が設けられており、シリンダ25内に吸い込まれて流れる液状の内容物を案内すると共に、ガイド板33上部に設けた段差により、後述するストッパ35との仮セット状態を維持する機能を果たす。また、シリンダ25下部には吸い込み管34が取り付けられている。なお、弁体27は、図１の容器１における弁体７と同等のものである。
【００１４】
本容器21においては、シリンダ25内にストッパ35がさらに設けられている。このストッパ35は、後述するように弁体27のシリンダ25内での姿勢や位置を保持すると共に、ノズル付頭部30のストロークを規定するものである。
【００１５】
図５は、ストッパ35を示すものであり、図５(a)はその外形を、図５(b)は縦断面を、また図５(c)は図５(a)のA-A線に沿った断面図である。図示のようにストッパ35は中空の円筒形状をなし、外周には二本のリブ36が形成されている。このリブ36は、ストッパ35をシリンダ25内に収容する際の、両者の接触面積を小さくし、それによって摩擦抵抗を低減するためのものである。図５(b)および図５(c)に示すように、ストッパ35内面には前述のガイド板33上部に設けた段差と共同して仮セット状態を維持するためのアンダーカットＣと、リングにより構成される中空の孔37が設けられ、この孔37内に弁体27を挿通させる。このストッパ35のリング端面とストッパ35の内面にガイド板33の上面および側面が当接することにより、弁体27の倒れ込みを、より確実に防止する。また孔37の周囲には、容器21の内容物を流通させるための流路38が複数設けられている。さらに、後述するようにストッパ35の高さＨは、容器21のノズル付頭部30のストロークを規制する働きを有する。なお、ガイド板上面が当接する部位の形状は必ずしもリングである必要はなく、ストッパ内面から延在するリブなど、様々な形状を選択できる。
【００１６】
図６は、シリンダ25内に弁体27をストッパ35と共にセットする手順を示すものである。まず、図６(a)に示すように、弁体27のガイド板上部に設けた段差部がストッパ35内面のアンダーカットを乗り越えて弁体27をストッパ35に挿通・仮セットし、その状態でシリンダ25内に配置する。図６(b)に示すように、弁体27は、ストッパ35によって、その位置および直立姿勢が保持される。そのため、他の部材や工具等によって弁体27の位置や姿勢を保持すること無く、ステム26をシリンダ25内へ続けてセットすることができるようになる。
【００１７】
前述したように、ストッパ35は弁体27のシリンダ内での位置と姿勢を保持するのみならず、ノズル付頭部30のストロークを規定する作用をも有している。図７は、これを示すものであり、図７(a)はノズル付頭部30を押し下げていない状態を、図７(b)は押し下げた状態をそれぞれ示す。なお、ここでは容器本体22は省略している。
【００１８】
図７(a)に示す状態から、使用者が容器本体（図示せず）の内容物を吐出させるために、ノズル付頭部30を押し下げる。このとき、ノズル付頭部30と共にステム26およびピストン28も下降するが、ステム26の第二の部材26Bの下端がストッパ35の上端と当接すると、ノズル付頭部30はそれ以上押し下げることができなくなる。すなわち、このノズル付頭部30のストロークＬは、図より明らかなように、ストッパ35の高さＨによって規制されることとなる。このことは、ノズル付頭部30のポンプ作用によって吐出される内容物の量が、常に一定に保たれることを意味する。換言すれば、ストッパ35の高さＨを適切に設定することにより、使用者が、常に適量の内容物を容器21から吐出させて利用することが可能となるのである。
【００１９】
以上説明したように、本発明による吐出容器は、組立時におけるシリンダ内での弁体の位置および姿勢を安定に保持するためのストッパを設けたことから、組み立て作業に要する工程や時間を削減することが可能となると共に、このストッパの高さを適切に設定することにより、ノズル付頭部のストローク量を規定することができ、それによってストッパ部材を交換するだけで容易に吐出量を変更することが可能になると共に、常に適量の内容物を吐出させることができる。
【００２０】
なお、本発明は上述した実施形態に限定されるものではなく、同様の構成を有する他の形態の吐出容器にも適用することが可能である。また、図５に示すストッパ35外面に設けたリブ36も、二本以上設けることもできる。
【図面の簡単な説明】
【図１】  従来の吐出容器の一例を示す図である。
【図２】  図１の容器に用いる弁体を示す図である。
【図３】  図２の弁体をシリンダ内に収容した状態を示す図である。
【図４】  本発明に係る吐出容器の一例を示す図である。
【図５】  本発明に係る吐出容器が具えるストッパを示す図である。
【図６】  本発明に係る吐出容器において、弁体をストッパと共にシリンダ内へセットする手順を示す図である。
【図７】  図５に示すストッパによりノズル付頭部のストロークが規制されることを示す図である。
【符号の説明】
１，21  吐出容器
２，22  容器本体
３，23  キャップの口頭部
４，24  キャップ
５，25  シリンダ
６，26  ステム
７，27  弁体
８，28  ピストン
９，29  ノズル
10，30  ノズル付頭部
11，31  ばね
12，32  ステムの挟持部
13，33  弁体のガイド板
14，34  吸い込み管
35  ストッパ
36  リブ
37  中空の孔
38  流路
【図１】
0003954277.tif 000002
【図２】
0003954277.tif 000003
【図３】
0003954277.tif 000004
【図４】
0003954277.tif 000005
【図５】
0003954277.tif 000006
【図６】
0003954277.tif 000007
【図７】
0003954277.tif 000008